(57)【要約】【課題】本発明は、ＤＶＢ−Ｈなどのデジタル放送受信の際、干渉雑音信号である電話（ＧＳＭ電話または移動電話）信号の流れ込みを遮断する電話信号除去回路、デジタル放送受信回路及び携帯用デジタル放送受信器に関する。【解決手段】本発明の電話信号除去回路は、受信信号の一部を分離する信号カプラ３１０と、上記信号カプラ３１０からの信号のうち電話信号を通過する電話信号選択フィルター３２０と、上記電話信号選択フィルター３２０からの信号のうち電話信号の位相を反転させる位相変換器３３０と、上記位相変換器３３０からの信号と上記受信信号を結合して上記受信信号に含まれた電話信号を除去する結合器３５０とを備えることを特徴とする。  また、このような電話信号除去回路を含むデジタル放送受信回路及び携帯用デジタル放送受信器を提案する。【選択図】図１
2007221758.tif 000002
【特許請求の範囲】
【請求項１】
受信信号の一部を分離する信号カプラと、
前記信号カプラからの信号のうち電話信号を通過する電話信号選択フィルターと、
前記電話信号選択フィルターからの信号のうち電話信号の位相を反転させる位相変換器と、
前記位相変換器からの信号と前記受信信号とを結合して、前記受信信号に含まれた電話信号を除去する結合器と、
を備えることを特徴とする、電話信号除去回路。
【請求項２】
電話周波数帯域中において既設定された送信チャンネルに基づいて前記受信信号に含まれた電話信号の除去を制御する雑音除去制御器をさらに含むことを特徴とする、請求項１に記載の電話信号除去回路。
【請求項３】
前記電話信号選択フィルターは、前記雑音除去制御器の制御に応じて前記既設定された送信チャンネルの周波数を中心周波数とする通過帯域を設定する可変フィルターから成ることを特徴とする、請求項２に記載の電話信号除去回路。
【請求項４】
前記位相変換器は、前記雑音除去制御器の制御に応じて前記電話信号選択フィルターからの信号のうち前記既設定された送信チャンネルに該当する周波数信号を位相反転させることを特徴とする、請求項２に記載の電話信号除去回路。
【請求項５】
前記結合器の出力信号のうち電話信号の電力を検出する電力検出器をさらに含むことを特徴とする、請求項２に記載の電話信号除去回路。
【請求項６】
前記電力検出器によって検出された電話信号の電力に応じて前記位相変換器からの信号を増幅し前記結合器に出力するＡＧＣ増幅器をさらに含むことを特徴とする、請求項５に記載の電話信号除去回路。
【請求項７】
前記雑音除去制御器は、前記電力検出器からの電話信号の電力を監視しながら前記位相変換器の位相変換周波数を可変し、前記電話信号の電力が最小値である周波数における位相変換を制御することを特徴とする、請求項５に記載の電話信号除去回路。
【請求項８】
前記電話信号は、略８８０ＭＨｚ〜９１５ＭＨｚの周波数帯域であるＧＳＭ送信信号であることを特徴とする、請求項１に記載の電話信号除去回路。
【請求項９】
受信信号のうちデジタル放送信号を通過させる帯域通過フィルターと、
前記受信信号の一部を分離する信号カプラと、
前記信号カプラからの信号のうち電話信号を通過する電話信号選択フィルターと、
前記電話信号選択フィルターからの信号のうち電話信号の位相を反転させる位相変換器と、
前記位相変換器からの信号と前記帯域通過フィルターからの受信信号とを結合して、前記受信信号に含まれた電話信号を除去する結合器と、
前記結合器からのデジタル放送信号を受信するＲＦ処理部と、
を備えることを特徴とする、デジタル放送受信回路。
【請求項１０】
電話周波数帯域中において既設定された送信チャンネルに基づいて前記受信信号に含まれた電話信号の除去を制御する雑音除去制御器をさらに含むことを特徴とする、請求項９に記載のデジタル放送受信回路。
【請求項１１】
前記電話信号選択フィルターは、前記雑音除去制御器の制御に応じて前記既設定された送信チャンネルの周波数を中心周波数とする通過帯域を設定する可変フィルターから成ることを特徴とする、請求項１０に記載のデジタル放送受信回路。
【請求項１２】
前記位相変換器は、前記雑音除去制御器の制御に応じて前記電話信号選択フィルターからの信号のうち前記既設定された送信チャンネルに該当する周波数信号を位相反転させることを特徴とする、請求項１０に記載のデジタル放送受信回路。
【請求項１３】
前記結合器の出力信号のうち電話信号の電力を検出する電力検出器をさらに含むことを特徴とする、請求項９に記載のデジタル放送受信回路。
【請求項１４】
前記電力検出器によって検出された電話信号の電力に応じて前記位相変換器からの信号を増幅し、前記結合器に出力するＡＧＣ増幅器をさらに含むことを特徴とする、請求項１３に記載のデジタル放送受信回路。
【請求項１５】
前記電力検出器からの電話信号の電力を監視しながら前記位相変換器の位相変換周波数を可変し、前記電話信号の電力が最小値である周波数における位相変換を制御する雑音除去制御器をさらに含むことを特徴とする、請求項１３に記載のデジタル放送受信回路。
【請求項１６】
前記電話信号は、略８８０ＭＨｚ〜９１５ＭＨｚの周波数帯域であるＧＳＭ 送信信号であることを特徴とする、請求項９に記載のデジタル放送受信回路。 
【請求項１７】
前記デジタル放送信号は、略４７０ＭＨｚ〜８６０ＭＨｚの周波数帯域であるＤＶＢ−Ｈ信号であることを特徴とする、請求項９に記載のデジタル放送受信回路。
【請求項１８】
電話通話及びデジタル放送受信を制御するメイン制御部と、
前記制御部の制御に応じて、第１アンテナを介して電話信号を送受信する電話回路と、
前記制御部の制御に応じて、第２アンテナを介してデジタル放送信号を受信し、前記第２アンテナを通して流れ込まれる電話信号を位相反転させ前記第２アンテナを通した受信信号と結合し、前記電話信号を除去する電話信号除去回路を含むデジタル放送受信回路と、
を備える携帯用デジタル放送受信器。
【請求項１９】
前記デジタル放送受信回路は、前記第２アンテナからの受信信号のうちデジタル放送信号を前記電話信号除去回路に通過させる帯域通過フィルターと、
前記帯域通過フィルターからのデジタル放送信号を受信するＲＦ処理部と、
をさらに含むことを特徴とする、請求項１８に記載の携帯用デジタル放送受信器。
【請求項２０】
前記電話信号除去回路は、前記第２アンテナを通した受信信号の一部を分離する信号カプラと、
前記信号カプラからの信号のうち電話信号を通過する電話信号選択フィルターと、
前記電話信号選択フィルターからの信号のうち電話信号の位相を反転させる位相変換器と、
前記位相変換器からの信号と前記帯域通過フィルターからの受信信号とを結合して、前記受信信号に含まれた電話信号を除去する結合器と、
を含むことを特徴とする、請求項１９に記載の携帯用デジタル放送受信器。
【請求項２１】
電話周波数帯域中において既設定された送信チャンネルに基づいて前記受信信号に含まれた電話信号の除去を制御する雑音除去制御器をさらに含むことを特徴とする、請求項１９に記載の携帯用デジタル放送受信器。
【請求項２２】
前記電話信号選択フィルターは、前記雑音除去制御器の制御に応じて前記既設定された送信チャンネルの周波数を中心周波数とする通過帯域を設定する可変フィルターから成ることを特徴とする、請求項２１に記載の携帯用デジタル放送受信器。
【請求項２３】
前記位相変換器は、前記雑音除去制御器の制御に応じて前記電話信号選択フィルターからの信号のうち前記既設定された送信チャンネルに該当する周波数信号を位相反転させることを特徴とする、請求項２１に記載の携帯用デジタル放送受信器。
【請求項２４】
前記結合器の出力信号のうち電話信号の電力を検出する電力検出器をさらに含むことを特徴とする、請求項２０に記載の携帯用デジタル放送受信器。
【請求項２５】
前記電力検出器によって検出された電話信号の電力に応じて前記位相変換器からの信号を増幅し、前記結合器に出力するＡＧＣ増幅器をさらに含むことを特徴とする、請求項２４に記載の携帯用デジタル放送受信器。
【請求項２６】
前記雑音除去制御器は、前記電力検出器からの電話信号の電力を監視しながら前記位相変換器の位相変換周波数を可変し、前記電話信号の電力が最小値である周波数における位相変換を制御することを特徴とする、請求項２１に記載の携帯用デジタル放送受信器。
【請求項２７】
前記電話信号は、略８８０ＭＨｚ〜９１５ＭＨｚの周波数帯域であるＧＳＭ送信信号であることを特徴とする、請求項２０に記載の携帯用デジタル放送受信器。
【請求項２８】
前記デジタル放送信号は、略４７０ＭＨｚ〜８６０ＭＨｚの周波数帯域であるＤＶＢ−Ｈ信号であることを特徴とする、請求項２０に記載の携帯用デジタル放送受信器。
【発明の詳細な説明】
【技術分野】
【０００１】
本発明は、デジタル放送受信及び電話機能が採用された携帯用デジタル放送受信器に関し、特にＤＶＢ−Ｈなどのデジタル放送受信の際、干渉雑音信号である電話（ＧＳＭ電話または移動電話）信号の流れ込みを遮断させることによって、高電力の電話信号によるデジタル放送の受信感度の低下を防止することができ、これによりデジタル放送の受信性能及び量産性を向上させ、干渉雑音信号によって制限されるＤＶＢ−Ｈ最大受信周波数帯域を８６０ＭＨｚまで向上させることができる電話信号除去回路、デジタル放送受信回路及び携帯用デジタル放送受信器に関する。
【背景技術】
【０００２】
一般的に、近年デジタル放送に対する多くの関心が集中されることによって韓国及び一部地域ではＤＭＢに対して、ヨーロッパ地域ではＤＶＢに対する技術開発がそれぞれ行われている。
【０００３】
ここで、ＤＶＢは「Ｄｉｇｉｔａｌ Ｖｉｄｅｏ Ｂｒｏａｄｃａｓｔｉｎｇ」の略語で、一般放送局から家庭用またはオフィス用の固定された装置が受信するＤＶＢ−Ｔとともに、携帯電話や携帯用映像機器等の低電力、移動性、携帯性を考慮したＤＶＢ−Ｈがある。そして、移動端末機の複合化によってＤＶＢ−Ｈが内在された携帯電話が発売開始される見込みであり、一つの端末機で２種以上の機能（ＧＳＭ／ＧＰＲＳ＆ＤＶＢ−Ｈ）を支援する場合には、相互の干渉影響により各モジュールの受信感度を低下させる現象に対して適切な対応が必要である。
【０００４】
また、干渉雑音信号によって元のＤＶＢ−Ｈ受信帯域幅４７０ＭＨｚ〜８６０ＭＨｚを全て使用することができず、ＤＶＢ−Ｈの全受信帯域幅中一部の周波数帯域に該当する４７０ＭＨｚ〜７５０ＭＨｚ帯域に制限される問題点がある。
【０００５】
図５は従来のＤＶＢ−Ｈ用ＧＳＭ携帯電話の構成図である。図５を参照すると、従来のＤＶＢ−Ｈ用ＧＳＭ携帯電話は、略９００ＭＨｚ（ＴＸ：８８０〜９１５ＭＨｚ、ＲＸ：９２５〜９６０ＭＨｚ）のＧＳＭ信号を送受信するＧＳＭ通信部１１と、略４７０ＭＨｚ〜７５０ＭＨｚの帯域を有するＤＶＢ−Ｈ放送信号を受信するＤＶＢ−Ｈ受信部１２と、上記ＧＳＭ通信部１１の送受信動作及び上記ＤＶＢ−Ｈ受信部１１の受信動作を制御するメイン制御部１３とを含む。
【０００６】
かかる従来のＤＶＢ−Ｈ用ＧＳＭ携帯電話におけるＤＶＢ−Ｈ放送周波数帯域及びＧＳＭ−ＴＸ周波数について、図６を参照して説明する。
【０００７】
図６は従来のＤＶＢ−Ｈ用ＧＳＭ携帯電話のＤＶＢ−Ｈ放送周波数帯域及びＧＳＭ−ＴＸ周波数、基本ＤＶＢ−Ｈ放送周波数帯域のスペクトラム図であって、図６に示すように、上記ＤＶＢ−Ｈ放送の周波数帯域は略４７０ＭＨｚ〜７５０ＭＨｚ程度であり、上記ＧＳＭ−ＴＸ周波数は略８８０〜９１５ＭＨｚである。そして、通常ＤＶＢ−Ｈシステムに基本的に要求される基本ＤＶＢ−Ｈ放送周波数帯域は、略７５０ＭＨｚ〜８６０ＭＨｚである。
【０００８】
一方、従来のＤＶＢ−Ｈ用ＧＳＭ携帯電話では、上記ＤＶＢ−Ｈ受信部１２を介してデジタル放送を受信する間に上記ＧＳＭ通信部１１を介してＧＳＭ電話通話を行う状況が発生され得る。また、上記ＤＶＢ−Ｈ受信部１２を介してデジタル放送を受信する間に、近くに位置した他のＤＶＢ−Ｈ用ＧＳＭ携帯電話のＧＳＭ通信部を介して電話通話を行う状況が発生され得る。
【０００９】
ところが、上記ＧＳＭ通信部１１ではＧＳＭ−ＴＸ信号の電力を内部電力増幅器を介して略＋３３ｄＢｍ程度の高電力に増幅させるため、このような高い電力のＧＳＭ−ＴＸ信号が上記ＤＶＢ−Ｈ受信部１２に流れ込む場合には、上記ＧＳＭ−ＴＸ信号が上記ＤＶＢ−Ｈ放送の受信信号に雑音として作用するので、上記ＤＶＢ−Ｈ受信部１２の入力端には帯域通過フィルターＢＰＦを含んでいる。
【００１０】
しかし、帯域通過フィルターＢＰＦを使用して基本ＤＶＢ−Ｈ受信帯域幅である略４７０ＭＨｚ〜８６０ＭＨｚ帯域を通過帯域として設定するようになると、ＧＳＭ−ＴＸ信号を十分に減衰させることができないため、７５０ＭＨｚ〜８６０ＭＨｚのＤＶＢ−Ｈ受信帯域を使用できなくなる。そのため従来のＤＶＢ−Ｈ受信器の受信帯域幅は４７０ＭＨｚ〜７５０ＭＨと帯域が制限されて使用される。
【００１１】
上記帯域通過フィルターＢＰＦは、略４７０ＭＨｚ〜７５０ＭＨｚのデジタル放送の周波数帯域を通過させ、上記ＧＳＭ−ＴＸ周波数帯域を含んで略８００ＭＨｚ以上の周波数帯域を遮断する。
【００１２】
しかし、従来のＤＶＢ−Ｈ用ＧＳＭ携帯電話のＤＶＢ−Ｈ受信部１２に含まれた帯域通過フィルターＢＰＦが、上記ＧＳＭ−ＴＸ信号を遮断しているが、上記帯域通過フィルターＢＰＦによってはＧＳＭ−ＴＸ信号の減衰が充分ではないため、このようなＧＳＭ−ＴＸ信号が上記ＤＶＢ−Ｈ受信部１２に雑音として流れ込みＤＶＢ−Ｈ放送の受信感度を落とす問題点がある。
【００１３】
図７を参照して、従来の帯域通過フィルターＢＰＦによってＧＳＭ−ＴＸ周波数帯域が減衰される特性を説明する。
【００１４】
図７は、図５の従来の受信器の周波数特性を示すグラフである。図７に示すグラフにおいて、ｍ１はＧＳＭ−ＴＸ周波数帯域中８８０ＭＨｚの周波数成分に対する減衰比が略−４１．００９ｄＢであることを表しており、ｍ２はＧＳＭ−ＴＸ周波数帯域中９１５ＭＨｚの周波数成分に対する減衰比が略−４２．４２８ｄＢであることを表している。
【００１５】
ところが、ＤＶＢ−Ｈ受信器のスペックを満たすためには、上記ＧＳＭ−ＴＸ周波数帯域に対して−４５ｄＢ以上の減衰性能を備えなければならないが、帯域通過フィルターを利用する従来のＤＶＢ−Ｈ用ＧＳＭ携帯電話ではＤＶＢ−Ｈ受信器のスペックを満たすことができない問題点がある。
【００１６】
また、既存のＤＶＢ−Ｈ受信帯域を確保するために、帯域通過フィルターの帯域幅を４７０ＭＨｚ〜８６０ＭＨｚに設計するとＧＳＭ−ＴＸ周波数帯域に対する減衰性能がさらに低下される問題点がある。
【発明の開示】
【発明が解決しようとする課題】
【００１７】
本発明は、上記した問題点を解決するために提案されたもので、その目的は、ＤＶＢ−Ｈなどのデジタル放送受信の際、干渉雑音信号である電話（ＧＳＭ電話または移動電話）信号の流れ込みを遮断させることによって、高電力の電話信号によるデジタル放送の受信感度の低下を防止することができ、これによりデジタル放送の受信性能及び量産性を向上させ、干渉雑音信号によって制限されるＤＶＢ−Ｈ最大受信周波数帯域を８６０ＭＨｚまで向上させることが可能である電話信号除去回路、デジタル放送受信回路及び携帯用デジタル放送受信器を提供することである。
【課題を解決するための手段】
【００１８】
上記した本発明の目的を達成するために、本発明の電話信号除去回路は、受信信号の一部を分離する信号カプラと、上記信号カプラからの信号のうち電話信号を通過する電話信号選択フィルターと、上記電話信号選択フィルターからの信号のうち電話信号の位相を反転させる位相変換器と、上記位相変換器からの信号と上記受信信号とを結合し、上記受信信号に含まれた電話信号を除去する結合器とを備えることを特徴とする。
【００１９】
また、本発明の電話信号除去回路は電話周波数帯域中において既設定された送信チャンネルに基づいて上記受信信号に含まれた電話信号の除去を制御する雑音除去制御器をさらに含むことを特徴とする。
【００２０】
上記電話信号選択フィルターは、上記雑音除去制御器の制御に応じて上記既設定された送信チャンネルの周波数を中心周波数とする通過帯域を設定する可変フィルターから成ることを特徴とする。
【００２１】
上記位相変換器は、上記雑音除去制御器の制御に応じて上記電話信号選択フィルターからの信号のうち上記既設定された送信チャンネルに該当する周波数信号を位相反転させることを特徴とする。
【００２２】
また、本発明の電話信号除去回路は、上記結合器の出力信号のうち電話信号の電力を検出する電力検出器をさらに含むことを特徴とする。
【００２３】
さらに、本発明の電話信号除去回路は、上記電力検出器によって検出された電話信号の電力に応じて上記位相変換器からの信号を増幅し上記結合器に出力するＡＧＣ増幅器をさらに含むことを特徴とする。
【００２４】
上記雑音除去制御器は、上記電力検出器からの電話信号の電力を監視しながら上記位相変換器の位相変換周波数を可変し、上記電話信号の電力が最小値である周波数における位相変換を制御することを特徴とする。
【００２５】
ここで、上記電話信号は、略８８０ＭＨｚ〜９１５ＭＨｚの周波数帯域であるＧＳＭ送信信号であることを特徴とする。
【００２６】
本発明のデジタル放送受信回路は、受信信号のうちデジタル放送信号を通過させる帯域通過フィルターと、上記受信信号の一部を分離する信号カプラと、上記信号カプラからの信号のうち電話信号を通過する電話信号選択フィルターと、上記電話信号選択フィルターからの信号のうち電話信号の位相を反転させる位相変換器と、上記位相変換器からの信号と上記帯域通過フィルターからの受信信号とを結合して、上記受信信号に含まれた電話信号を除去する結合器と、上記結合器からのデジタル放送信号を受信するＲＦ処理部とを備えることを特徴とする。
【００２７】
本発明のデジタル放送受信回路は、電話周波数帯域中において既設定された送信チャンネルに基づいて上記受信信号に含まれた電話信号の除去を制御する雑音除去制御器をさらに含むことを特徴とする。
【００２８】
上記電話信号選択フィルターは、上記雑音除去制御器の制御に応じて上記既設定された送信チャンネルの周波数を中心周波数とする通過帯域を設定する可変フィルターから成ることを特徴とする。
【００２９】
上記位相変換器は、上記雑音除去制御器の制御に応じて上記電話信号選択フィルターからの信号のうち上記既設定された送信チャンネルに該当する周波数信号を位相反転させることを特徴とする。
【００３０】
また、本発明のデジタル放送受信回路は、上記結合器の出力信号のうち電話信号の電力を検出する電力検出器をさらに含むことを特徴とする。
【００３１】
さらに、本発明のデジタル放送受信回路は、上記電力検出器によって検出された電話信号の電力に応じて上記位相変換器からの信号を増幅し上記結合器に出力するＡＧＣ増幅器をさらに含むことを特徴とする。
【００３２】
上記雑音除去器は、上記電力検出器からの電話信号の電力を監視しながら上記位相変換器の位相変換周波数を可変し、上記電話信号の電力が最小値である周波数における位相変換を制御することを特徴とする。
【００３３】
上記電話信号は、略８８０ＭＨｚ〜９１５ＭＨｚの周波数帯域であるＧＳＭ 送信信号であることを特徴とする。
【００３４】
上記デジタル放送信号は、略４７０ＭＨｚ〜８６０ＭＨｚの周波数帯域であるＤＶＢ−Ｈ信号であることを特徴とする。
【００３５】
本発明の携帯用デジタル放送受信器は、電話通話及びデジタル放送受信を制御するメイン制御部と、上記制御部の制御に応じて、第２アンテナを介してデジタル放送信号を受信し、上記第２アンテナを通して流れ込まれる電話信号を位相反転させ上記第２アンテナを通した受信信号と結合して上記電話信号を除去する電話信号除去回路を含むデジタル放送受信回路を備えることを特徴とする。
【００３６】
上記デジタル放送受信回路は、第２アンテナからの受信信号のうちデジタル放送信号を上記電話信号回路に通過させる帯域帯域通過フィルターと、上記帯域通過フィルターからのデジタル放送信号を受信するＲＦ処理部とをさらに含むことを特徴とする。
【００３７】
上記電話信号除去回路は、上記第２アンテナを通した受信信号の一部を分離する信号カプラと、上記信号カプラからの信号のうち電話信号を通過する電話信号選択フィルターと、上記電話信号選択フィルターからの信号のうち電話信号の位相を反転させる位相変換器と、上記位相変換器からの信号と上記帯域通過フィルターからの受信信号とを結合して上記受信信号に含まれた電話信号を除去する結合器とを含むことを特徴とする。
【００３８】
また、本発明の携帯用デジタル放送受信器は、電話用電話周波数帯域中において既設定された送信チャンネルに基づいて上記受信信号に含まれた電話信号の除去を制御する雑音除去制御器をさらに含むことを特徴とする。
【００３９】
上記電話信号選択フィルターは、上記雑音除去制御器の制御に応じて上記既設定された送信チャンネルの周波数を中心周波数とする通過帯域を設定する可変フィルターから成ることを特徴とする。
【００４０】
上記位相変換器は、上記雑音除去制御器の制御に応じて上記電話信号選択フィルターからの信号のうち上記既設定された送信チャンネルに該当する周波数信号を位相反転させることを特徴とする。
【００４１】
また、本発明の携帯用デジタル放送受信器は、上記結合器の出力信号のうち電話信号の電力を検出する電力検出器をさらに含むことを特徴とする。
【００４２】
さらに、本発明の携帯用デジタル放送受信器は、上記電力検出器によって検出された電話信号の電力に応じて上記位相変換器からの信号を増幅し上記結合器に出力するＡＧＣ増幅器をさらに含むことを特徴とする。
【００４３】
上記雑音除去制御器は、上記電力検出器からの電話信号の電力を監視しながら上記位相変換器の位相変換周波数を可変し、上記電話信号の電力が最小値である周波数における位相変換を制御することを特徴とする。
【００４４】
このとき、上記電話信号は略８８０ＭＨｚ〜９１５ＭＨｚの周波数帯域であるＧＳＭ送信信号であることを特徴とする。
【００４５】
上記デジタル放送信号は略４７０ＭＨｚ〜８６０ＭＨｚの周波数帯域であるＤＶＢ−Ｈ信号であることを特徴とする。
【発明の効果】
【００４６】
本発明によれば、デジタル放送受信及び電話機能が採用された携帯用デジタル放送受信器において、ＤＶＢ−Ｈ などのデジタル放送受信の際、干渉雑音信号である電話（ＧＳＭ電話または移動電話）信号の流れ込みを遮断させることによって、高電力の電話信号によるデジタル放送の受信感度の低下を防止することができ、これによりデジタル放送の受信性能及び量産性を向上させることが可能である。
【００４７】
より具体的には、本発明によれば、ＤＶＢ−Ｈ受信帯域に隣接した特定周波数帯域に印加されるＧＳＭ電話信号などの干渉雑音信号を除去することができ、このような干渉雑音信号の除去程度に応じて受信器の入力側帯域通過フィルター（ＢＰＦ）の設計を簡略化することができる。
【００４８】
また、挿入損失（Ｉｎｓｅｒｔｉｏｎ Ｌｏｓｓ）を改善することができ、これと共に電話信号に対する充分な減衰度（Ａｔｔｅｎｕａｔｉｏｎ）を確保することが可能である。または、別途の帯域通過フィルター（ＢＰＦ）を使用しない場合にも電話信号を除去することができる。
【００４９】
しかも、現在開発中のＤＶＢ−Ｈ受信モジュールのＲＦ性能改善及び安定的なマージン（Ｍａｒｇｉｎ）が確保できるようになり量産性を高める効果を有している。
【００５０】
さらに、ＤＶＢ−Ｈ受信モジュールの受信帯域幅を基本ＤＶＢ−Ｈ最大受信周波数８６０ＭＨｚまで確張できる効果を有している。
【発明を実施するための最良の形態】
【００５１】
以下、本発明の好ましい実施形態を添付した図面を参照して詳しく説明する。本発明に参照された図面において実質的に同一の構成及び機能を有する構成要素等は同じ符号を付す。
【００５２】
図１は本発明による携帯用デジタル放送受信器の構成図である。図１を参照すると、本発明による携帯用デジタル放送受信器は、電話通話及びデジタル放送受信を制御するメイン制御部１００と、上記制御部１００の制御に応じて、第１アンテナＡＮＴ１を介して電話信号を送受信する電話回路２００と、上記制御部１００の制御に応じて、第２アンテナＡＮＴ２を介してデジタル放送信号を受信するデジタル放送受信回路４００とを含む。
【００５３】
上記デジタル放送受信回路４００は、上記制御部１００の制御に応じて、第２アンテナＡＮＴ２を介してデジタル放送信号を受信し、上記第２アンテナＡＮＴ２を通して流れ込む電話信号を位相反転させ上記第２アンテナＡＮＴ２を通した受信信号と結合して上記電話信号を除去する電話信号除去回路３００を含む。
【００５４】
また、上記デジタル放送受信回路４００は、上記電話信号除去回路３００からのデジタル放送信号を受信するＲＦ処理部４２０を含む。
【００５５】
そして、上記デジタル放送受信回路４００は、上記第２アンテナＡＮＴ２からの受信信号のうちデジタル放送信号を上記電話信号除去回路３００に通過させる帯域通過フィルター４１０をさらに含むことができ、この場合には、電話信号の減衰特性をさらに向上させることが可能である。
【００５６】
図２は本発明の電話信号除去回路の第１実施形態を示す図である。図２を参照すると、上記電話信号除去回路３００は、上記第２アンテナＡＮＴ２からの受信信号の一部を分離する信号カプラ３１０と、上記信号カプラ３１０からの信号のうち電話信号を通過する電話信号選択フィルター３２０と、上記電話信号選択フィルター３２０からの信号のうち電話信号の位相を反転させる位相変換器３３０と、上記位相変換器３３０からの信号と上記帯域通過フィルター４１０からの受信信号とを結合し、上記受信信号に含まれた電話信号を除去する結合器３５０と、上記受信信号に含まれた電話信号の除去を制御する雑音除去制御器３７０とを含む。
【００５７】
この際、上記信号カプラ３１０は上記第２アンテナＡＮＴ２と帯域通過フィルター４１０との間に連結しても良いし、または上記帯域通過フィルター４１０の出力端に連結しても良い。
【００５８】
また、上記雑音除去制御器３７０は、電話周波数帯域中において既設定された送信チャンネルに基づいて上記受信信号に含まれた電話信号の除去を制御することができる。
【００５９】
前述したように、上記雑音除去制御器３７０は、既設定された送信チャンネルに基づいて上記電話信号選択フィルター３２０の通過帯域可変を制御し、上記位相変換器３３０の位相変換中心周波数の可変を制御する。
【００６０】
図３は本発明の電話信号除去回路の第２実施形態を示す図である。図３を参照すると、上記電話信号除去回路３００は、上記第２アンテナＡＮＴ２からの受信信号の一部を分離する信号カプラ３１０と、上記信号カプラ３１０からの信号のうち電話信号を通過する電話信号選択フィルター３２０と、上記電話信号選択フィルター３２０からの信号のうち電話信号の位相を反転させる位相変換器３３０と、利得制御信号に応じて上記位相変換器３３０からの信号を増幅するＡＧＣ増幅器３４０と、上記位相変換器３３０からの信号と上記帯域通過フィルター４１０からの受信信号とを結合し、上記受信信号に含まれた電話信号を除去する結合器３５０と、上記結合器３５０の出力信号のうち電話信号の電力を検出する電力検出器３６０と、上記受信信号に含まれた電話信号の除去を制御する雑音除去制御器３７０とを含む。ここで、上記ＡＧＣ増幅器３４０の利得制御信号は上記雑音除去制御部３７０によって提供される。
【００６１】
この際、上記信号カプラ３１０は上記第２アンテナＡＮＴ２と帯域通過フィルター４１０の間に連結しても良いし、または上記帯域通過フィルター４１０の出力端に連結しても良い。
【００６２】
また、上記雑音除去制御器３７０は、電話周波数帯域中において既設定された送信チャンネルに基づいて上記受信信号に含まれた電話信号の除去を制御することができる。さらに、上記雑音除去制御器３７０は上記電力検出器３６０からの電話信号の電力を監視しながら上記位相変換器３３０の位相変換周波数を可変し、上記電話信号の電力が最小値である周波数における位相変換を制御することができる。
【００６３】
前述したように、上記雑音除去制御器３７０は、既設定された送信チャンネルに基づいて上記電話信号選択フィルター３２０の通過帯域可変を制御し、上記位相変換器３３０の位相変換中心周波数の可変を制御し、上記電力検出器３６０からの電話信号の電力に応じて上記ＡＧＣ増幅器３４０の利得を制御することができる。
【００６４】
この際、上記電話信号選択フィルター３２０は、上記雑音除去制御器３７０の制御に応じて上記既設定された送信チャンネルの周波数を中心周波数とする通過帯域を設定する可変フィルターから成ることができる。
【００６５】
上記位相変換器３３０は、上記雑音除去制御器３７０の制御に応じて上記電話信号選択フィルター３２０からの信号のうち上記既設定された送信チャンネルに該当する周波数信号を位相反転させることができる。
【００６６】
さらに一方で、本発明の電話回路２００はＧＳＭタイプの電話回路である場合、上記電話信号は、略８８０ＭＨｚ〜９１５ＭＨｚの周波数帯域に含まれるＧＳＭ送信信号に該当することができる。
【００６７】
本発明のデジタル放送受信回路４００がＤＶＢ−Ｈタイプの受信回路である場合、上記デジタル放送信号は、略４７０ＭＨｚ〜８６０ＭＨｚの周波数帯域であるＤＶＢ−Ｈ信号に該当する。
【００６８】
前述した本発明の携帯用デジタル放送受信器において、上記既設定された送信チャンネルについて簡単に説明すると、ＧＳＭなどの電話網の各基地局では地域別に互いに異なる送信チャンネルが予め設定され、このように既設定される送信チャンネルは各電話端末機で探索されて、設定される。
【００６９】
これにより、各電話端末機では既設定された送信チャンネル情報を有するようになるので、このような送信チャンネルを利用すると除去しようとする電話信号の周波数を正確に設定することができる。
【００７０】
図４は本発明による受信器の周波数特性を示すグラフである。図４に示したグラフにおいて、ｍ１はＧＳＭ−ＴＸ周波数帯域中８８０ＭＨｚの周波数成分に対する減衰比が略−４７．０ｄＢであることを表しており、ｍ２はＧＳＭ−ＴＸ周波数帯域中９１５ＭＨｚの周波数成分に対する減衰比が略−６０．０ｄＢであることを表している。
【００７１】
以下、本発明の作用及び効果を添付した図面に基づいて詳しく説明する。
【００７２】
本発明の携帯用デジタル放送受信器がＤＶＢ−Ｈ受信器であり、この受信器にＧＳＭ（ＧＳＭ−ＴＸと、８８０ＭＨｚ〜９１５ＭＨｚ）タイプの電話回路及びＤＶＢ−Ｈ（略４７０ＭＨｚ〜７５０ＭＨｚ）タイプのデジタル放送受信回路が採用された場合、図１乃至図４を参照して本発明の携帯用デジタル放送受信器について説明する。
【００７３】
先ず、図１を参照すると、本発明による携帯用デジタル放送受信器において、メイン制御部１００は電話回路２００に対して電話通話を制御し、デジタル放送受信回路４００に対してデジタル放送受信を制御する。
【００７４】
これにより、上記電話回路２００は上記制御部１００の制御に応じて、第１アンテナＡＮＴ１を通して電話信号を送受信し、上記デジタル放送受信回路４００は上記制御部１００の制御に応じて、第２アンテナＡＮＴ２を介してデジタル放送信号を受信する。
【００７５】
この際、上記デジタル放送受信回路４００の帯域通過フィルター４１０は上記第２アンテナＡＮＴ２からの受信信号のうちデジタル放送信号を電話信号除去回路３００に通過させる。このような帯域通過フィルター４１０を含む場合、本発明の電話信号減衰特性はさらに向上され得る。
【００７６】
上記電話信号除去回路３００は、上記第２アンテナＡＮＴ２を介して流れ込む電話信号を位相反転させ上記第２アンテナＡＮＴ２を通した受信信号と結合して上記電話信号を除去し、電話信号が除去された信号をＲＦ処理部４２０に出力する。
【００７７】
上記ＲＦ処理部４２０は、上記電話信号除去回路３００からのデジタル放送信号を受信処理する。
【００７８】
前述した本発明の電話信号除去回路３００は多様な形態に実現され得るが、このような多様な実施形態のうちいくかを図２及び図３を参照して説明する。
【００７９】
図２及び図３を参照して本発明の電話信号除去回路に対する実施形態について説明する。
【００８０】
先ず、図２を参照すると、上記電話信号除去回路３００の信号カプラ３１０は上記第２アンテナＡＮＴ２からの受信信号の一部を分離して電話信号選択フィルター３２０に出力する。上記電話信号選択フィルター３２０は上記信号カプラ３１０からの信号のうち電話信号を位相変換器３３０に出力する。上記位相変換器３３０は上記電話信号選択フィルター３２０からの信号のうち電話信号の位相を反転させ結合器３５０に出力する。その後、上記結合器３５０は上記位相変換器３３０からの信号と上記帯域通過フィルター４１０からの受信信号を結合して上記受信信号に含まれた電話信号を除去する。
【００８１】
この際、上記電話信号除去回路３００の雑音除去制御器３７０は、上記受信信号に含まれた電話信号の除去を制御する。例えば、上記雑音除去制御器３７０は、電話周波数帯域中において既設定された送信チャンネルに基づいて上記受信信号に含まれた電話信号の除去を制御することができる。即ち、既設定された送信チャンネルに基づいて上記電話信号選択フィルター３２０の通過帯域可変を制御し、上記位相変換器３３０の位相変換中心周波数の可変を制御する。
【００８２】
これにより、上記電話信号選択フィルター３２０は、上記雑音除去制御器３７０の制御に応じて上記既設定された送信チャンネルの周波数を中心周波数とする通過帯域を設定し、この設定された通過帯域を介して上記信号カプラ３１０からの信号のうち電話信号をより正確に抽出することができる。
【００８３】
また、上記位相変換器３３０は、上記雑音除去制御器３７０の制御に応じて上記電話信号選択フィルター３２０からの信号のうち上記既設定された送信チャンネルに該当する周波数信号を位相反転させることができ、これにより電話信号をより正確に位相反転させることが可能である。
【００８４】
次に図３を参照すると、上記電話信号除去回路３００の信号カプラ３１０は上記第２アンテナＡＮＴ２からの受信信号の一部を分離して電話信号選択フィルター３２０に出力する。上記電話信号選択フィルター３２０は上記信号カプラ３１０からの信号のうち電話信号を位相変換器３３０に出力する。上記位相変換器３３０は上記電話信号選択フィルター３２０からの信号のうち電話信号の位相を反転させＡＧＣ増幅器３４０に出力する。上記ＡＧＣ増幅器３４０は利得制御信号に応じて上記位相変換器３３０からの信号を増幅し結合器３５０に出力する。この際、上記結合器３５０は上記位相変換器３３０からの信号と上記帯域通過フィルター４１０からの受信信号とを結合して上記受信信号に含まれた電話信号を除去する。
【００８５】
その後、上記電話信号除去回路３００の電力検出器３６０は上記結合器３５０の出力信号のうち電話信号の電力を検出して雑音除去制御器３７０に出力する。
【００８６】
これにより、上記雑音除去制御器３７０は上記受信信号に含まれた電話信号の除去を制御するが、具体的に、上記電力検出器３６０によって検出された電力レベルに応じて上記ＡＧＣ増幅器３４０の利得を制御するための利得制御信号を上記ＡＧＣ増幅器３４０に出力する。
【００８７】
また、図３を参照して説明したように、上記雑音除去制御器３７０は、電話周波数帯域中において既設定された送信チャンネルに基づいて上記受信信号に含まれた電話信号の除去を制御することができる。特に、上記雑音除去制御器３７０は、上記電力検出器３６０からの電話信号の電力を監視しながら上記位相変換器３３０の位相変換周波数を可変し、上記電話信号の電力が最小値である周波数における位相変換を制御することができる。
【００８８】
前述したように、上記雑音除去制御器３７０は、既設定された送信チャンネルに基づいて上記電話信号選択フィルター３２０の通過帯域可変を制御し、上記位相変換器３３０の位相変換中心周波数の可変を制御し、上記電力検出器３６０からの電話信号の電力に応じて上記ＡＧＣ増幅器３４０の利得を制御することができる。
【００８９】
これにより、図２を参照して説明したように、上記電話信号選択フィルター３２０は、上記雑音除去制御器３７０の制御に応じて上記既設定された送信チャンネルの周波数を中心周波数とする通過帯域を設定する可変フィルターから成ることができる。上記位相変換器３３０は、上記雑音除去制御器３７０の制御に応じて上記電話信号選択フィルター３２０からの信号のうち上記既設定された送信チャンネルに該当する周波数信号を位相反転させることが可能である。
【００９０】
前述したような本発明の電話信号除去回路３００を利用する場合、図４に示すように、ｍ１はＧＳＭ−ＴＸ周波数帯域中８８０ＭＨｚの周波数成分に対する減衰比が略−４７．０ｄＢであることを表しており、ｍ２はＧＳＭ−ＴＸ周波数帯域中９１５ＭＨｚの周波数成分に対する減衰比が略−６０．０ｄＢであることを表しているので、このようにｍ１及びｍ２を参照すると、ＤＶＢ−Ｈ受信器はＧＳＭ−ＴＸ信号（略８８０ＭＨｚ〜９１５ＭＨｚ）に対して十分な減衰特性を有するようになるので、デジタル放送の受信感度がより向上することができる。
【００９１】
以上で説明した本発明は、前述した実施形態及び添付された図面によって限定されるものではなく特許請求の範囲によって限定され、本発明の装置は本発明の技術的思想を外れない範囲内において様々に置換、変形及び変更が可能であることが、本発明が属する技術分野において通常の知識を有する者にとって明らかである。
【図面の簡単な説明】
【００９２】
【図１】本発明による携帯用デジタル放送受信器の構成図である。
【図２】本発明の電話信号除去回路の第１実施形態を示す図である。
【図３】本発明の電話信号除去回路の第２実施形態を示す図である。
【図４】本発明による受信器の周波数特性を示すグラフである。
【図５】従来のＤＶＢ−Ｈ用ＧＳＭ携帯電話の構成図である。
【図６】従来のＤＶＢ−Ｈ用ＧＳＭ携帯電話のＤＶＢ−Ｈ放送周波数帯域及びＧＳＭ−ＴＸ周波数、基本ＤＶＢ−Ｈ放送周波数帯域のスペクトラム図である。
【図７】図５の従来のＤＶＢ−Ｈ用ＧＳＭ携帯電話の周波数特性を示すグラフである。
【符号の説明】
【００９３】
１００  メイン制御部 
２００  電話回路
３００  電話信号除去回路 
３１０  信号カプラ
３２０  電話信号選択フィルター 
３３０  位相変換器
３５０  結合器 
３７０  雑音除去制御器
３６０  電力検出器 
３４０  ＡＧＣ増幅器
４００  デジタル放送受信回路 
４１０  帯域通過フィルター
４２０  ＲＦ処理部 
ＡＮＴ１  第１アンテナ（ＧＳＭ用）
ＡＮＴ２  第２アンテナ（ＤＶＢ−Ｈ用）
【図１】
2007221758.tif 000003
【図２】
2007221758.tif 000004
【図３】
2007221758.tif 000005
【図４】
2007221758.tif 000006
【図５】
2007221758.tif 000007
【図６】
2007221758.tif 000008
【図７】
2007221758.tif 000009